(57)【要約】      （修正有）【課題】冷蔵庫の美観を維持するとともに埃の付着を防止することができる冷蔵庫の開閉機構を得る。【解決手段】ベース部材の回転軸を支点にして可動し、非使用時にはベース部材の全部又は一部を覆う一方、使用時には非使用時よりもベース部材を覆う範囲が減少して、ベース部材との間に手掛け用の空間を形成する手掛け部材を設けた。【選択図】        図１
2004245491.tif 000002
【特許請求の範囲】
【請求項１】
冷蔵庫本体の前面開口部と密着する開閉扉に埋め込まれ、上記冷蔵庫本体の設置面に対して平行な回転軸を有するベース部材と、上記ベース部材の回転軸を支点にして可動し、非使用時には上記ベース部材の全部又は一部を覆う一方、使用時には非使用時よりも上記ベース部材を覆う範囲が減少して、上記ベース部材との間に手掛け用の空間を形成する手掛け部材とを備えた冷蔵庫の開閉機構。
【請求項２】
手掛け部材が非使用時にベース部材の一部を覆う場合、上記手掛け部材の下側と上記ベース部材の間に隙間を持たせることを特徴とする請求項１記載の冷蔵庫の開閉機構。
【請求項３】
手掛け部材は、非使用時にはベース部材の全部又は一部を覆う位置まで回転し、使用時には上方向への回転を許容して、上記ベース部材との間に手掛け用の空間を形成することを特徴とする請求項１記載の冷蔵庫の開閉機構。
【請求項４】
手掛け部材は、非使用時にはベース部材の全部又は一部を覆う位置まで下降し、使用時には上昇を許容して、上記ベース部材との間に手掛け用の空間を形成することを特徴とする請求項１記載の冷蔵庫の開閉機構。
【請求項５】
非使用時には、手掛け部材は自重により回転又は下降することを特徴とする請求項３または請求項４記載の冷蔵庫の開閉機構。
【請求項６】
手掛け部材は、非使用時にはベース部材の全部を覆う位置まで回転し、使用時には下方向への回転を許容して、上記ベース部材との間に手掛け用の空間を形成することを特徴とする請求項１記載の冷蔵庫の開閉機構。
【請求項７】
手掛け部材は、非使用時にはベース部材の全部を覆う位置まで上昇し、使用時には下降を許容して、上記ベース部材との間に手掛け用の空間を形成することを特徴とする請求項１記載の冷蔵庫の開閉機構。
【発明の詳細な説明】
【０００１】
【発明の属する技術分野】
この発明は、冷蔵庫の開閉扉を開閉するための冷蔵庫の開閉機構に関するものである。
【０００２】
【従来の技術】
従来の冷蔵庫の開閉機構は、軽い力で開閉扉を開けることができるようにするため、開閉扉を開ける際に、ハンドルの端部が外箱に当接するようにしている（以下の特許文献１を参照）。
【０００３】
【特許文献１】
特開２０００−１８８０３公報（段落番号［００１５］から［００２３］、図２）
【０００４】
【発明が解決しようとする課題】
従来の冷蔵庫の開閉機構は以上のように構成されているので、軽い力で開閉扉を開けることができる。しかし、開閉扉の前面に突出するようにハンドルが取り付けられるため、冷蔵庫の美観が損なわれる課題があった。また、そのハンドルに埃が付着するため、開閉扉を開ける際にユーザの手に埃がつくことがあり、衛生上の課題があった。
【０００５】
この発明は上記のような課題を解決するためになされたもので、冷蔵庫の美観を維持することができるとともに、埃の付着を防止することができる冷蔵庫の開閉機構を得ることを目的とする。
【０００６】
【課題を解決するための手段】
この発明に係る冷蔵庫の開閉機構は、ベース部材の回転軸を支点にして可動し、非使用時にはベース部材の全部又は一部を覆う一方、使用時には非使用時よりもベース部材を覆う範囲が減少して、ベース部材との間に手掛け用の空間を形成する手掛け部材を設けたものである。
【０００７】
【発明の実施の形態】
以下、この発明の実施の一形態を説明する。
実施の形態１．
図１はこの発明の実施の形態１による冷蔵庫の開閉機構を示す平面断面図であり、図２はこの発明の実施の形態１による冷蔵庫の開閉機構を示す側面断面図である。図において、開閉扉の内材１には断熱材が充填され、冷蔵庫本体の前面開口部と密着する。開閉扉の外材２は内材１の前面側に取り付けられ、断熱材が充填されている。ベース部材３は開閉扉に埋め込まれ、冷蔵庫本体の設置面に対して平行な回転軸４を有している。
手掛け部材５はベース部材３の回転軸４を支点にして可動し、非使用時にはベース部材３の略全部を覆う一方、使用時には非使用時よりもベース部材３を覆う範囲が減少して、ベース部材３との間に手掛け用の空間６を形成する。
【０００８】
次に動作について説明する。
非使用時においては、手掛け部材５は、自重により図２（ａ）に示す位置まで回転し、手掛け部材５の下側とベース部材３の間の隙間７のみを残して、ベース部材３の略全体を覆う。この隙間７はユーザの指が入る程度の大きさであり、下向きであるため、埃が侵入して、手掛け部材５の内側５ａ等に付着する可能性は極めて低い。
【０００９】
次に、ユーザが開閉扉を開くために、図３に示すように、ユーザが指を隙間７に入れると、手掛け部材５がベース部材３の回転軸４を支点にして、図２（ｂ）に示すように回転する。
これにより、ベース部材３との間に手掛け用の空間６が形成されるので、ユーザが手を深く入れることができるようになる。この状態において、ユーザが手掛け部材５の内側５ａに指を掛けて手を引くと、開閉扉を開くことができる。
なお、開閉扉を開く際に、手掛け部材５の内側５ａに指を掛けても、手掛け部材５の内側５ａには埃が付着していないので、指に埃がつく心配はない。
【００１０】
その後、ユーザが手掛け部材５から手を離すと、手掛け部材５は、自重により図２（ａ）に示す位置まで回転して元の状態に戻る。このように手掛け部材５が自重により回転するようにした場合、特別な部材が不要になり、機構の構成を簡略化することができる。
ただし、手掛け部材５にバネなどの弾性部材を取り付けることにより、弾性力によって図２（ａ）に示す位置まで回転するようにしてもよい。
【００１１】
以上で明らかなように、この実施の形態１によれば、ベース部材３の回転軸４を支点にして可動し、非使用時にはベース部材３の略全部を覆う一方、使用時には非使用時よりもベース部材３を覆う範囲が減少して、ベース部材３との間に手掛け用の空間６を形成する手掛け部材５を設けるように構成したので、開閉扉の前面に突出する凸部材の取り付けに伴う美観の損ないを防止することができるとともに、埃の付着を防止することができる効果を奏する。したがって、美観面や衛生面の優れた冷蔵庫を提供することができる。
【００１２】
なお、この実施の形態１では、手掛け部材５の下側とベース部材３の間の隙間７のみを残して、ベース部材３の略全体を覆うものについて示したが、手掛け部材５の下側とベース部材３の間の隙間７を残さず、ベース部材３の全体を覆うようにしてもよい。
この場合には、非使用時の埃の侵入をほぼ完全に防止することができる。しかし、開閉扉を開く際に、手掛け部材５を回転させる必要があるので、例えば、指を入れる丸穴を手掛け部材５に開けるなどの施工や、手掛け部材５の回転に用いるフックの取り付けなどが必要になる。
【００１３】
実施の形態２．
上記実施の形態１では、非使用時にはベース部材３の略全部を覆う一方、使用時には非使用時よりもベース部材３を覆う範囲が減少して、ベース部材３との間に手掛け用の空間６を形成する手掛け部材５を設けたものについて示したが、図４に示すように、手掛け部材５が非使用時にはベース部材３の全部又は一部を覆う位置までスライドして下降し、使用時には垂直方向の上昇を許容して、ベース部材３との間に手掛け用の空間６を形成するようにしてもよく、上記実施の形態１と同様の効果を奏することができる。
なお、ユーザが手掛け部材５から手を離すと、手掛け部材５は、自重により図４（ａ）に示す位置まで下降して元の状態に戻る。ただし、手掛け部材５にバネなどの弾性部材を取り付けることにより、弾性力によって図４（ａ）に示す位置まで下降するようにしてもよい。
【００１４】
実施の形態３．
上記実施の形態１では、手掛け部材５が使用時には上方向への回転を許容して、ベース部材３との間に手掛け用の空間６を形成するものについて示したが、図５に示すように、手掛け部材５が非使用時にはベース部材３の全部を覆う位置まで回転し、使用時には下方向への回転を許容して、ベース部材３との間に手掛け用の空間６を形成するようにしてもよく、上記実施の形態１と同様の効果を奏することができる。
なお、手掛け部材５にはバネなどの弾性部材（図示せず）や錘が取り付けられており、ユーザが手掛け部材５から手を離すと、手掛け部材５は、その弾性部材の弾性力や錘の重力によって、図５（ａ）に示す位置まで回転して元の状態に戻る。
【００１５】
実施の形態４．
上記実施の形態２では、手掛け部材５が非使用時にはベース部材３の全部又は一部を覆う位置までスライドして下降し、使用時には垂直方向の上昇を許容して、ベース部材３との間に手掛け用の空間６を形成するものについて示したが、図６に示すように、手掛け部材５が非使用時にはベース部材３の全部を覆う位置までスライドして上昇し、使用時には垂直方向の下降を許容して、ベース部材３との間に手掛け用の空間６を形成するようにしてもよく、上記実施の形態２と同様の効果を奏することができる。
なお、手掛け部材５にはバネなどの弾性部材（図示せず）が取り付けられており、ユーザが手掛け部材５から手を離すと、手掛け部材５は、その弾性部材の弾性力によって図６（ａ）に示す位置まで回転して元の状態に戻る。
【００１６】
【発明の効果】
以上のように、この発明によれば、ベース部材の回転軸を支点にして可動し、非使用時にはベース部材の全部又は一部を覆う一方、使用時には非使用時よりもベース部材を覆う範囲が減少して、ベース部材との間に手掛け用の空間を形成する手掛け部材を設けるように構成したので、冷蔵庫の美観を維持することができるとともに、埃の付着を防止することができる冷蔵庫の開閉機構が得られる効果がある。
【図面の簡単な説明】
【図１】この発明の実施の形態１による冷蔵庫の開閉機構を示す平面断面図である。
【図２】この発明の実施の形態１による冷蔵庫の開閉機構を示す側面断面図である。
【図３】ユーザの使用状態を示す説明図である。
【図４】この発明の実施の形態２による冷蔵庫の開閉機構を示す側面断面図である。
【図５】この発明の実施の形態３による冷蔵庫の開閉機構を示す側面断面図である。
【図６】この発明の実施の形態４による冷蔵庫の開閉機構を示す側面断面図である。
【符号の説明】
１  開閉扉の内材、２  開閉扉の外材、３  ベース部材、４  回転軸、５  手掛け部材、５ａ  手掛け部材の内側、６  手掛け用の空間、７  隙間。
【図１】
2004245491.tif 000003
【図２】
2004245491.tif 000004
【図３】
2004245491.tif 000005
【図４】
2004245491.tif 000006
【図５】
2004245491.tif 000007
【図６】
2004245491.tif 000008